(57)【要約】【課題】電子機器の電池パック収容部に２面以上の面の中から任意の１面を表にして収容でき、しかも、いずれの面を表にしても取り外しが容易で面の選択を誤らない電池パックおよびこれを備えた電子機器を得ること。【解決手段】電池パック２０１の通常裏側となるＢ面にも、通常表側となる図示しないＡ面と同様に定格や注意事項等の記載事項２０６が印刷されている。Ｂ面とほぼ同一面に突起部２１８が設けられていて、Ａ面側の図示しない突起部と共に、どちらの面を表にして電池パック収容部に装着しても、突起に工具等を引っ掛けて電池パック２０１の取り外しが可能である。面マーク「Ｂ」は、Ｂ面用の電子機器に対応する面であることを表わしている。【選択図】図２
2008103205.tif 000002
【特許請求の範囲】
【請求項１】
３面以上の面から構成される多面体であって、その内部に電池を収容し、所定の開口部からこの開口部と連なる電池パック収容部に対して挿脱自在であって、前記面の向きを変えて収容することで特定の２面以上の面を１面ずつ選択的に前記開口部から露出させることのできる電池パック本体と、
この電池パック本体の前記特定の２面以上の面に電池の取り扱いの注意事項を含む同一の記載事項をそれぞれ表示した記載事項表示部
とを具備することを特徴とする電池パック。
【請求項２】
３面以上の面から構成される多面体であって、その内部に電池を収容し、所定の開口部からこの開口部と連なる電池パック収容部に対して挿脱自在であって、前記面の向きを変えて収容することで特定の２面以上の面を１面ずつ選択的に前記開口部から露出させることのできる電池パック本体と、
この電池パック本体の前記特定の２面以上の面のそれぞれにこれらの面を延長するようにそれぞれ突出して配置された突起部
とを具備することを特徴とする電池パック。
【請求項３】
３面以上の面から構成される多面体であって、その内部に電池を収容し、所定の開口部からこの開口部と連なる電池パック収容部に対して挿脱自在であって、前記面の向きを変えて収容することで特定の２面以上の面を１面ずつ選択的に前記開口部から露出させることのできる電池パック本体と、
この電池パック本体の前記特定の２面以上の面のそれぞれにこれらが前記開口部から露出したときの対応する前記電池パックの種類を識別する識別マークを表示したマーク表示部
とを具備することを特徴とする電池パック。
【請求項４】
３面以上の面から構成される多面体であって、その内部に電池を収容し、所定の開口部からこの開口部と連なる電池パック収容部に対して挿脱自在であって、前記面の向きを変えて収容することで特定の２面以上の面を１面ずつ選択的に前記開口部から露出させることのできる電池パック本体と、
この電池パック本体の前記特定の２面以上の面に電池の取り扱いの注意事項を含む同一の記載事項をそれぞれ表示した記載事項表示部と、
前記電池パック本体の前記特定の２面以上の面のそれぞれにこれらの面を延長するようにそれぞれ突出して配置された突起部と、
前記電池パック本体の前記特定の２面以上の面のそれぞれにこれらが前記開口部から露出したときの対応する前記電池パックの種類を識別する識別マークを表示したマーク表示部
とを具備することを特徴とする電池パック。
【請求項５】
前記突起部は、前記電池パック本体と樹脂で一体成形されていることを特徴とする請求項２または請求項４記載の電池パック。
【請求項６】
所定の位置に電源供給用の電池パック収容部を備えるとともに、電池の種類を特定する識別マークを前記電池パック収容部の周辺に記した電子機器本体と、
３面以上の面から構成される多面体であって、その内部に電池を収容し、所定の開口部からこの開口部と連なる前記電池パック収容部に対して挿脱自在であって、前記面の向きを変えて収容することで特定の２面以上の面を１面ずつ選択的に前記開口部から露出させることのできる電池パック本体と、この電池パック本体の前記特定の２面以上の面に電池の取り扱いの注意事項を含む同一の記載事項をそれぞれ表示した記載事項表示部と、前記電池パック本体の前記特定の２面以上の面のそれぞれにこれらの面を延長するようにそれぞれ突出して配置された突起部と、前記電池パック本体の前記特定の２面以上の面のそれぞれにこれらが前記開口部から露出したときの対応する前記電池パックの種類を識別する識別マークを表示したマーク表示部とを備えた電池パック
とを具備することを特徴とする電子機器。
【発明の詳細な説明】
【技術分野】
【０００１】
本発明は、携帯電話機、小型のゲーム機のように携帯型の電子機器に使用する電源としての電池パックおよびこれを備えた電子機器に係わり、特に立体構造に特徴を持った電池パックおよび電子機器に関する。
【背景技術】
【０００２】
携帯電話機、ＰＨＳ（Personal Handy-phone System）、ＰＤＡ（Personal Digital Assistant）、小型のゲーム機のような電子機器の多くは、それらの小型化や大容量の電源の必要性から、二次電池としてリチウムイオン電池等の電池とその保護回路を内蔵した電池パックを使用することが多い。
【０００３】
図６〜図８は、従来から使用されている電池パックの一例について、それぞれその正面、背面および上面を表わしたものである。ここで正面とは、ほぼ直方体状の電池パック１０１を図示しない電子機器に形成された角型に窪んだ凹部としての電池パック収容部に嵌入させた状態で、表面に露出した面をいう。
【０００４】
図６および図７に示すように、電池パック１０１の図示しない電池とその保護回路を収容した電池パック本体１０２の各面（図示していない面も含めて合計４面）には、裏面に接着剤を塗布したシート状部材１０３が巻回するようにして接着されている。図６に示す電池パック１０１の正面に位置する側のシート状部材１０３の面には、電池の定格や取り扱いについての注意事項および製造元等の所定の記載事項１０４が印刷されている（たとえば特許文献１参照）。電池パック１０１を電子機器に取り付けた状態で、これらの記載事項１０４がユーザの目に触れるようにするためである。
【０００５】
図７に示した電池パック１０１の背面側は、電子機器に取り付けた状態でユーザの目に触れる場所ではない。したがって、背面に位置する側のシート状部材１０３の面には、このシート状部材１０３を特定の者以外の者が剥がさないようにするための注意事項１０５が必要に応じて記載されているだけである。
【０００６】
図６および図７に示したように電池パック１０１の平行な２つの上面１０６、下面１０７からは、それぞれ一対の突起１０８〜１１１が突出している。これらの突起１０８〜１１１は、前記した電池パック収容部の図示しないそれぞれの凹部に嵌合させることで、電池パック１０１を収容部位に固定するためのものである。
【０００７】
図６および図８に示すように、一対の突起１０８、１０９の突出した上面１０６における正面側の面と接する位置には、平板状の突起部１１２が配置されている。この突起部１１２は、電池パック１０１を電子機器側の電池パック収容部に収容した後に、これを取り出す際に使用される。すなわち、ユーザは突起部１１２に爪や工具を引っ掛けて、電池パック本体１０２を突起１１０、１１１を中心に回動させて起立させるようにして、電池パック１０１を取り外す。
【０００８】
ところで、電池パックのケース本体をアルミニウム等の金属で深絞り成形で形成することが提案されている（たとえば特許文献２参照）。これは、ケース本体に電池とその保護回路を直接内蔵できるからであるとされている。
【０００９】
図９は、この提案の電池パックの外観を表わしたものである。電池パック１２１は、アルミニウムを深絞り成形で形成したケース本体１２２と、その開口端に取り付けられる蓋１２３を備えており、内部に図示しない電池とその保護回路が収容される。ケース本体１２２の開口端と反対側の端部には、２本の溝１２４、１２５が切られており、引っ掛け部１２６を構成している。
【００１０】
図１０は、この電池パックの引っ掛け部周辺を切り欠いて示したものである。ケース本体１２２の内部には渦巻状に巻回した電池１２８が収容されている。引っ掛け部１２６を構成する２本の溝１２４、１２５は、それぞれが略直角三角形の断面形状で切り欠かれている。これらの溝１２４、１２５の一方に図示しない爪や工具を引っ掛けることで、電池パック１２１を図示しない携帯電話機の電池パック収容部から取り外すことができる。また、この電池パック１２１には２本の溝１２４、１２５が設けられているので、６面のうちの広い面積を有する２面のいずれを下にして電池パック収容部に収容しても、この電池パック収容部から取り外すことができる。すなわち、電池パック１２１を電池パック収容部に表裏逆に収容した場合にも、取り外すことが可能である。
【特許文献１】特開２００２−０６３８７７号公報（第０００７段落、図１）
【特許文献２】特開２００３−１８７７６５号公報（第００１１段落〜第００１６段落、図２、図４）
【発明の開示】
【発明が解決しようとする課題】
【００１１】
ところで、携帯電話機等の電子機器は製品の進化が目覚しく、多くの機種が市場に投入されている。このような電子機器は、前に開発された電池パックと同一の電池パックを使用できる場合もあるが、電子機器の本体側のわずかな形状や部品配置の相違の結果として、新たな形状の電池パックが必要とされる場合も多い。しかしながら、製品のわずかな形状の相違によって電池パックとして別のものを開発することは、開発コストが増大する。また、多種類の電池パックを保管し適量ずつ市場に供給する管理も煩雑となる。
【００１２】
このような状況の下では、図６〜図８に示したような電池パック１０１の突起部１１２を図９および図１０に示したような一対の溝１２４、１２５を有するものに変更すれば、突起部１１２の位置が左右対称に異なった位置に存在する他の電池パックも同一の電池パックとして共用できることになる。これにより、電池パックの種類を最大で半減できることになる。
【００１３】
しかしながら、図９および図１０に示した提案の電池パック１２１の場合には、アルミニウム等の金属の深絞り成形でケース本体１２２を形成している。したがって、深絞り成形の成型限界との関係で成形できる形状は限られたものとなり、また、金属の厚さが厚いと電池１２８の収容スペースを大きく採ることができない。このようなことから、引っ掛け部１２６の溝１２４、１２５を深くすることができない。このため、実際は先端が十分薄くなった工具を使用しないと引っ掛け部１２６に安定して引っ掛けることができず、電池パック１２１を小型電子機器の本体から取り外すことが困難である。また、ケース本体１２２の強度を保つために溝１２４、１２５を端面の角まで伸ばすことができない。したがって、端面およびその近傍を除いた比較的中央部に溝１２４、１２５を配置せざるを得ない。
【００１４】
更に、電池パックの２つの面のいずれも表側の面として電子機器の電池パック収容部に収容できるようにすると、図７に示した面が表側の面となった場合、必要な記載事項１０４がユーザの目に触れなくなるという問題もあった。
【００１５】
以上、電池パックの２つの面の中から任意の１面を表にして電子機器の電池パック収容部に収容する際の問題を説明したが、たとえば立方体の電池パックのように２面以上の面の中から任意の１面を表にして電子機器の電池パック収容部に収容する際にも同様の問題がある。
【００１６】
そこで、本発明の目的は、電子機器の電池パック収容部に２面以上の面の中から任意の１面を表にして収容でき、しかも、いずれの面を表にしても取り外しが容易な電池パックを提供することにある。
【００１７】
本発明の他の目的は、電子機器の電池パック収容部に２面以上の面の中から任意の１面を表にして収容でき、しかも、面の選択を誤らないようにした電池パックおよびこれを備えた電子機器を提供することにある。
【課題を解決するための手段】
【００１８】
請求項１記載の発明では、（イ）３面以上の面から構成される多面体であって、その内部に電池を収容し、所定の開口部からこの開口部と連なる電池パック収容部に対して挿脱自在であって、面の向きを変えて収容することで特定の２面以上の面を１面ずつ選択的に開口部から露出させることのできる電池パック本体と、（ロ）この電池パック本体の前記した特定の２面以上の面に電池の取り扱いの注意事項を含む同一の記載事項をそれぞれ表示した記載事項表示部とを電池パックに具備させる。
【００１９】
すなわち本発明では、３面以上の面から構成される多面体からなる電池パックを電池パック収容部に収容できるようにしたものである。電池パック収容部は電池パックから電源の供給を受ける装置側に配置されているもので、電池パック収容部は開口部を備え、この開口部から電池パックを収容したり、取り出すことができると共に、面の向きを変えて収容することで特定の２面以上の面を１面ずつ選択的に開口部から露出させることができるようになっている。たとえば、立方体の形状をした電池パックであったとすると、その６面を１面ずつ選択的に開口部から外部に露出できるので、収容の仕方は最大で６通りということになる。通常の直方体の場合、収容の仕方は２通りであり、正三角形を４面使用した三角錐の場合には収容の仕方は最大で４通りということになる。面は必ずしも平面である必要はない。たとえば円柱の場合は収容の仕方が２通りであり、３面で形成されている。請求項１記載の発明の場合には、前記した特定の２面以上の面に電池の取り扱いの注意事項を含む同一の記載事項をそれぞれ表示することにしている。これにより、どの面が開口部から外部に露出しても、電池の取り扱いの注意事項を含む同一の記載事項をユーザが確認することができる。
【００２０】
請求項２記載の発明では、（イ）３面以上の面から構成される多面体であって、その内部に電池を収容し、所定の開口部からこの開口部と連なる電池パック収容部に対して挿脱自在であって、面の向きを変えて収容することで特定の２面以上の面を１面ずつ選択的に開口部から露出させることのできる電池パック本体と、（ロ）この電池パック本体の前記した特定の２面以上の面のそれぞれにこれらの面を延長するようにそれぞれ突出して配置された突起部とを電池パックに具備させる。
【００２１】
すなわち本発明では、３面以上の面から構成される多面体からなる電池パックを電池パック収容部に収容できるようにしたものである。電池パック収容部は電池パックから電源の供給を受ける装置側に配置されているもので、電池パック収容部は開口部を備え、この開口部から電池パックを収容したり、取り出すことができると共に、面の向きを変えて収容することで特定の２面以上の面を１面ずつ選択的に開口部から露出させることができるようになっている。たとえば、立方体の形状をした電池パックであったとすると、その６面を１面ずつ選択的に開口部から外部に露出できるので、収容の仕方は最大で６通りということになる。通常の直方体の場合、収容の仕方は２通りであり、正三角形を４面使用した三角錐の場合には収容の仕方は最大で４通りということになる。面は必ずしも平面である必要はない。たとえば円柱の場合は収容の仕方が２通りであり、３面で形成されている。請求項２記載の発明の場合には、前記した特定の２面以上の面のそれぞれにこれらの面を延長するようにそれぞれ突出して配置された突起部を備えるようにしている。これにより、どの面が開口部から外部に露出した状態でも、突起部を利用して電池パックを電池パック収容部から取り出すことができる。
【００２２】
請求項３記載の発明では、（イ）３面以上の面から構成される多面体であって、その内部に電池を収容し、所定の開口部からこの開口部と連なる電池パック収容部に対して挿脱自在であって、面の向きを変えて収容することで特定の２面以上の面を１面ずつ選択的に開口部から露出させることのできる電池パック本体と、（ロ）この電池パック本体の前記した特定の２面以上の面のそれぞれにこれらが開口部から露出したときの対応する電池パックの種類を識別する識別マークを表示したマーク表示部とを電池パックに具備させる。
【００２３】
すなわち本発明では、３面以上の面から構成される多面体からなる電池パックを電池パック収容部に収容できるようにしたものである。電池パック収容部は電池パックから電源の供給を受ける装置側に配置されているもので、電池パック収容部は開口部を備え、この開口部から電池パックを収容したり、取り出すことができると共に、面の向きを変えて収容することで特定の２面以上の面を１面ずつ選択的に開口部から露出させることができるようになっている。たとえば、立方体の形状をした電池パックであったとすると、その６面を１面ずつ選択的に開口部から外部に露出できるので、収容の仕方は最大で６通りということになる。通常の直方体の場合、収容の仕方は２通りであり、正三角形を４面使用した三角錐の場合には収容の仕方は最大で４通りということになる。面は必ずしも平面である必要はない。たとえば円柱の場合は収容の仕方が２通りであり、３面で形成されている。請求項３記載の発明の場合には、電池パック本体の前記した特定の２面以上の面のそれぞれにこれらが開口部から露出したときの対応する電池パックの種類を識別する識別マークを表示したマーク表示部を備えるようにしている。これにより、電池パックから電源の供給を受ける装置側の種類に対応して面の向きを変えるような場合、識別マークを基にして対応する面を選択することができる。
【００２４】
請求項４記載の発明では、（イ）３面以上の面から構成される多面体であって、その内部に電池を収容し、所定の開口部からこの開口部と連なる電池パック収容部に対して挿脱自在であって、面の向きを変えて収容することで特定の２面以上の面を１面ずつ選択的に開口部から露出させることのできる電池パック本体と、（ロ）この電池パック本体の前記した特定の２面以上の面に電池の取り扱いの注意事項を含む同一の記載事項をそれぞれ表示した記載事項表示部と、（ハ）電池パック本体の前記した特定の２面以上の面のそれぞれにこれらの面を延長するようにそれぞれ突出して配置された突起部と、（ニ）電池パック本体の前記した特定の２面以上の面のそれぞれにこれらが開口部から露出したときの対応する電池パックの種類を識別する識別マークを表示したマーク表示部とを電池パックに具備させる。
【００２５】
すなわち本発明では、３面以上の面から構成される多面体からなる電池パックを電池パック収容部に収容できるようにしたものである。電池パック収容部は電池パックから電源の供給を受ける装置側に配置されているもので、電池パック収容部は開口部を備え、この開口部から電池パックを収容したり、取り出すことができると共に、面の向きを変えて収容することで特定の２面以上の面を１面ずつ選択的に開口部から露出させることができるようになっている。たとえば、立方体の形状をした電池パックであったとすると、その６面を１面ずつ選択的に開口部から外部に露出できるので、収容の仕方は最大で６通りということになる。通常の直方体の場合、収容の仕方は２通りであり、正三角形を４面使用した三角錐の場合には収容の仕方は最大で４通りということになる。面は必ずしも平面である必要はない。たとえば円柱の場合は収容の仕方が２通りであり、３面で形成されている。請求項４記載の発明の場合には、請求項１〜請求項３記載の各発明を備えた構成としている。
【００２６】
請求項６記載の発明では、（イ）所定の位置に電源供給用の電池パック収容部を備えるとともに、電池の種類を特定する識別マークを電池パック収容部の周辺に記した電子機器本体と、（ロ）３面以上の面から構成される多面体であって、その内部に電池を収容し、所定の開口部からこの開口部と連なる電池パック収容部に対して挿脱自在であって、面の向きを変えて収容することで特定の２面以上の面を１面ずつ選択的に開口部から露出させることのできる電池パック本体と、この電池パック本体の前記した特定の２面以上の面に電池の取り扱いの注意事項を含む同一の記載事項をそれぞれ表示した記載事項表示部と、電池パック本体の前記した特定の２面以上の面のそれぞれにこれらの面を延長するようにそれぞれ突出して配置された突起部と、電池パック本体の前記した特定の２面以上の面のそれぞれにこれらが開口部から露出したときの対応する電池パックの種類を識別する識別マークを表示したマーク表示部とを備えた電池パックとを電子機器に具備させる。
【００２７】
すなわち本発明では、３面以上の面から構成される多面体からなる電池パックを電子機器本体の電池パック収容部に収容できるようにしたものである。電池パック収容部は電池パックから電源の供給を受ける電子機器本体側に配置されているもので、電池パック収容部は開口部を備え、この開口部から電池パックを収容したり、取り出すことができると共に、面の向きを変えて収容することで特定の２面以上の面を１面ずつ選択的に開口部から露出させることができるようになっている。たとえば、立方体の形状をした電池パックであったとすると、その６面を１面ずつ選択的に開口部から外部に露出できるので、収容の仕方は最大で６通りということになる。通常の直方体の場合、収容の仕方は２通りであり、正三角形を４面使用した三角錐の場合には収容の仕方は最大で４通りということになる。面は必ずしも平面である必要はない。たとえば円柱の場合は収容の仕方が２通りであり、３面で形成されている。請求項６記載の発明では、このような電池パックと電子機器本体を組み合わせて電子機器を構成することにしている。
【発明の効果】
【００２８】
以上説明したように本発明によれば、３面以上の面から構成される多面体からる電池パックで向きを変えて電池パック収容部に収容できるものについて、今まで複数通りの電池パックとして別々に製品化していたものを共通のパーツとして供給することができる。したがって、ユーザ側は携帯電話機等の電子機器を買い換えたときに電池パックを廃棄する必要がなくなり、新しい電子機器に転用したり、友人に譲ることのできる機会が飛躍的に増加し、資源の有効利用を図ることができる。また、複数の電子機器相互の予備用の電池パックとして使用することもでき、電池切れに有効に対処することができる。
【発明を実施するための最良の形態】
【００２９】
以下実施例につき本発明を詳細に説明する。
【実施例１】
【００３０】
図１〜図３は、本発明の一実施例における電池パックのそれぞれその正面としてのＡ面、背面としてのＢ面および上面を表わしたものである。この電池パック２０１も、図６〜図８に示した電池パック１０１と同様にほぼ直方体状をしており、図示しない電子機器に形成された角型に窪んだ凹部としての電池パック収容部に嵌入するようになっている。図１はこのとき外部から見えるＡ面を表わしている。
【００３１】
図１および図２に示すように、電池パック２０１の図示しない電池とその保護回路を収容した樹脂製の電池パック本体２０２の各面（図示していない面も含めて合計４面）には、裏面に接着剤を塗布したシート状部材２０３が巻回するようにして接着されている。図１に示す電池パック１０１のＡ面に位置する側のシート状部材２０３の面には、電池の定格や取り扱いについての注意事項および製造元等の所定の記載事項２０４が印刷されている。また、この記載事項２０４と共に、Ａ面であることを示す面マーク２０５がシート状部材２０３のＡ面側に印刷されている。
【００３２】
図２に示した電池パック２０１の背面側としてのＢ面にも、図１に示した記載事項２０４と同一内容の記載事項２０６が印刷されている。また、Ｂ面であることを示す面マーク２０７がシート状部材２０３のＢ面側に印刷されている。更に、Ｂ面側にはシート状部材２０３の貼り合わされた部分が存在する。この部分には、ユーザが電池パック本体２０２を勝手に分解しないように、「はがさないでください」という注意事項２０８が印刷されている。
【００３３】
図１および図２に示したように電池パック２０１の互いに平行な２つの上面２１１および下面２１２からは、それぞれ一対の突起２１３〜２１６が突出している。これらの突起２１３〜２１６は、前記した電池パック収容部の図示しないそれぞれの凹部に嵌合させることで、電池パック２０１を収容部位に固定するためのものである。
【００３４】
図１に示すように、一対の突起２１３、２１４の突出した上面２１１からは、Ａ面とほぼ同一面となるように平板状の突起部２１７が突出している。また、図２に示すように、一対の突起２１３、２１４の突出した上面２１１からは、Ｂ面とほぼ同一面となるように平板状の突起部２１８が突出している。
【００３５】
図３は、これらの突起部の突出した側の上面を表わしたものである。１対の突起部２１７、２１８は対向する位置に電池パック本体２０２と一体成形されている。
【００３６】
図４は、このような構成の電池パックのＡ面を表にして電子機器に取り付けた状態を表わしたものである。電子機器本体２２１の電池パック収容部２２２には、電池の種類を示す電池マーク２２３が印刷あるいは刻印されている。この例では、面マーク２０５と同じ「Ａ」という文字が印刷されている。したがって、ユーザは電池マーク２２３の「Ａ」と同じ「Ａ」と記された面マーク２０５を表側にして、電池パック２０１を電池パック収容部２２２に収容すればよい。電池パック２０１を電子機器本体２２１から取り外すには、Ａ面に近い側の突起部２１７に爪や工具を引っ掛けて、図１に示した電池パック本体２０２を突起２１５、２１６を中心に回動させて起立させるようにすればよい。突起部２１７は電池パック本体２０２と樹脂で一体成形されている。したがって、その長さを自由に設計できる。このため、ユーザは電池パック２０１の取り外しのために特別の工具を必要とせず、苦労することはない。
【００３７】
図５は、電池パックのＢ面を表にして他の電子機器に取り付けた状態を表わしたものである。電子機器本体２３１の電池パック収容部２３２には、電池の種類を示す「Ｂ」という文字の電池マーク２２４が印刷あるいは刻印されている。ユーザは電池マーク２２４の「Ｂ」と同じ「Ｂ」と記された面マーク２０７を表側にして、電池パック２０１を電池パック収容部２３２に収容すればよい。電池パック２０１を電子機器本体２２１から取り外すには、Ｂ面に近い側の突起部２１８に爪や工具を引っ掛けて行う。突起部２１８は電池パック本体２０２と樹脂で一体成形されている。したがって、その長さを自由に設計できる。このため、この場合もユーザは電池パック２０１の取り外しのために特別の工具を必要とせず、苦労することはない。
【００３８】
このように電池パック２０１はＡ面を表にしてもＢ面を表にしても、対応する電子機器２２１、２３１に装着することができるが、この際に面マーク２０５、２０７と電池マーク２２３、２２４を比較して一致する面を選択することで、装着の間違いを防止することができる。
【００３９】
以上説明した本発明は各種の変形が可能である。まず、図１に示したＡ面と図２に示したＢ面では、一方の記載事項２０４と他方の記載事項２０６の印刷の向きが９０度異なっているが、これは同一の向きになっていてもよいし、１８０度あるいは２７０度方向が異なっていてもよい。
【００４０】
また、実施例では面を識別するマークをＡ等の文字で記したが、記号であってもよいし、色で区別してもよい。また、これらのマークは凹凸を設けたり点字の刻印を付記することで、目の不自由な人にも電池の取り付けを間違いなく行わせることができる。
【００４１】
更に、突起部２１７、２１８は必ずしも対向する位置に対にして配置する必要はない。また、突起部２１７、２１８は図９あるいは図１０に示した従来の電池パックと異なり、樹脂の一体成形で作成するのであれば、直方体の角部に設けることも可能である。アルミニウム等の金属の深絞り成形でなければ、金属を同様の形状に加工してもよいことはもちろんである。
【００４２】
更に、電池パックの面を識別するマークは、面のどの位置に配置されていてもよい。たとえば記載事項２０４、２０６の背景の文字や記号あるいは色としてマークを形成することも自由である。更に１つの面に表示するマークの個数も１つに限らないことは当然である。
【００４３】
更にまた、電池パックの形状は表、裏、いずれの側からでも電子機器に装着できる形状であれば、平板状の直方体形状に限定されるものではない。たとえば、立方体、三角錐、それ以外の多面体、円柱、左右対称のひょうたん型の面を上下に有する立体形状のような各種の立体形状であってもよい。
【図面の簡単な説明】
【００４４】
【図１】本発明の一実施例における電池パックのＡ面を示した正面図である。
【図２】本実施例の電池パックのＢ面を示した背面図である。
【図３】本実施例の突起部の突出した側の上面を表わした上面図である。
【図４】本実施例で電池パックのＡ面を表にして電子機器に取り付けた状態を示す要部平面図である。
【図５】本実施例で電池パックのＢ面を表にして他の電子機器に取り付けた状態を示す要部平面図である。
【図６】従来使用されていた電池パックの一例についての正面図である。
【図７】図６に示した電池パックの背面図である。
【図８】図６に示した電池パックの突起部を有する側から見た上面図である。
【図９】金属で深絞り成形した従来提案された電池パックの斜視図である。
【図１０】図９に示した電池パックの引っ掛け部周辺を切り欠いた一部断面図である。
【符号の説明】
【００４５】
２０１  電池パック
２０２  電池パック本体
２０３  シート状部材
２０４、２０６  記載事項
２０５、２０７  面マーク
２１７、２１８  突起部
２２１、２３１  電子機器本体
２２２、２３２  電池パック収容部
２２３、２２４  電池マーク
【図１】
2008103205.tif 000003
【図２】
2008103205.tif 000004
【図３】
2008103205.tif 000005
【図４】
2008103205.tif 000006
【図５】
2008103205.tif 000007
【図６】
2008103205.tif 000008
【図７】
2008103205.tif 000009
【図８】
2008103205.tif 000010
【図９】
2008103205.tif 000011
【図１０】
2008103205.tif 000012